(57)【要約】【課題】  ユーザが一度印刷した画像データを再印刷する場合、メモリカードを挿入しなくても再印刷することができる画像記録装置および画像記録装置の制御方法を提供することを目的とする。【解決手段】  画像データを格納した記憶媒体を装着する装着部と、上記画像データを画像処理する画像処理部と、上記画像データを印刷する画像記録部と、操作ボタン・液晶画面または再印刷ボタンと、ユーザが印刷・再印刷設定を行う操作部と、上記画像データを保管するための不揮発性メモリを所持し、上記不揮発性メモリを管理する画像保管手段とを有する画像記録装置である。【選択図】  図１
2007001133.tif 000002
【特許請求の範囲】
【請求項１】
画像データを格納している記憶媒体を装着する装着部と；
上記画像データを画像処理する画像処理部と；
上記画像データを印刷する画像記録部と；
操作ボタン・液晶画面、または、再印刷ボタンと；
ユーザが印刷・再印刷設定を行う操作部と；
上記画像データを保管する不揮発性メモリを具備し、上記不揮発性メモリを管理する画像保管手段と；
を有することを特徴とする画像記録装置。
【請求項２】
請求項１において、
上記画像保管手段は、画像データとともに、印刷設定をも保管する手段であることを特徴とする画像記録装置。
【請求項３】
請求項１または請求項２において、
上記画像保管手段は、保管されている印刷設定を、再印刷時に上記操作部に表示し、上記保管されている印刷設定を使用する手段であることを特徴とする画像記録装置。
【請求項４】
請求項１において、
上記画像保管手段は、解像度変換されデータサイズが縮小した画像データを、画像データ保管時に保管する手段であることを特徴とする画像記録装置。
【請求項５】
請求項１において、
上記画像保管手段は、上記不揮発性メモリの容量が不足した際に、画像データを消去する手段であることを特徴とする画像記録装置。
【請求項６】
請求項１または請求項５において、
上記画像保管手段は、上記画像データの消去を、自動で行うか、ユーザが行うかを、ユーザが任意に設定する手段であることを特徴とする画像記録装置。
【請求項７】
請求項１において、
上記操作部は、再印刷ボタンを具備し、ユーザが上記再印刷ボタンを押すことによって、再印刷を開始するトリガになる手段であることを特徴とする画像記録装置。
【請求項８】
画像データを画像処理する画像処理工程と；
上記画像データを印刷する画像記録工程と；
上記画像データを保管する不揮発性メモリを管理する画像保管工程と；
を有することを特徴とする画像記録装置の制御方法。
【請求項９】
請求項８において、
上記画像保管工程は、画像データとともに、印刷設定をも保管する工程であることを特徴とする画像記録装置の制御方法。
【請求項１０】
請求項８または請求項９において、
上記画像保管工程は、保管されている印刷設定を、再印刷時に上記操作部に表示し、上記保管されている印刷設定を使用する工程であることを特徴とする画像記録装置の制御方法。
【請求項１１】
請求項８において、
上記画像保管工程は、解像度変換されデータサイズが縮小した画像データを、画像データ保管時に保管する工程であることを特徴とする画像記録装置の制御方法。
【請求項１２】
請求項８において、
上記画像保管工程は、上記不揮発性メモリの容量が不足した際に、画像データを消去する工程であることを特徴とする画像記録装置の制御方法。
【請求項１３】
請求項８または請求項１２において、
上記画像保管工程は、上記画像データの消去を、自動で行うか、ユーザが行うかを、ユーザが任意に設定する工程であることを特徴とする画像記録装置の制御方法。
【発明の詳細な説明】
【技術分野】
【０００１】
本発明は、デジタルカメラの撮像結果や不揮発性記憶媒体に格納されている画像データを入力し、画像処理を行い、ユーザが指定した設定に基づいて、画像データを印刷する画像記録装置に関する。
【背景技術】
【０００２】
近年、一般家庭におけるＰＣ（パーソナルコンピュータ）の普及は目覚ましく、ＰＣの普及とともに、画像入力機器として高解像度のデジタルカメラと、画像出力機器としてインクジェット方式等の画像記録装置が普及している。ユーザは、デジタルカメラからの画像データを、ＰＣに入力し、ＰＣモニタに画像表示し、所望の画像を選んで、プリンタ等の画像記録装置によって印刷する。
【０００３】
一方で、一般家庭においてＰＣを所持していないが、デジタルカメラは所持している、というケースも多々あり、このような場合に、ユーザは、画像出力機器として、メモリカード等から、ＰＣを介さずに、直接プリントする昇華方式、またはインクジェット方式の画像記録装置を購入することによって、デジタルカメラから画像データが入力されているメモリカードを取り出し、画像記録装置の各方法によって印刷する。
【０００４】
また、一度プリントしたことがある所望の画像を効率よく探し当て、一度プリントしたことがある画像を迅速にプリントするために、メモリを搭載し、このメモリには、過去にプリントした画像に関する情報がジョブ情報として記録され、ジョブ情報として、たとえば、サムネイル画像、画像ファイル番号、その画像ファイルが記録されているＳＳＦＤＣのＩＤ番号等を記録し、ユーザは、このジョブ情報を参照することによって、再プリントしたい画像と、その画像が記録されているファイルとを効率良く探し当て、迅速に再プリントすることが知られている（たとえば、特許文献１参照）。
【特許文献１】特開２０００−１０８４６８号公報
【発明の開示】
【発明が解決しようとする課題】
【０００５】
ところで、ＰＣを介さずに、直接プリントする画像記録装置において、ユーザが一度印刷した画像を再印刷する場合、所望の画像データが入力されているメモリカードを、上記画像記録装置に挿入し、画像データを選択し、印刷用紙の種類、サイズ等の印刷プロファイルを選択し、枚数を指定することによって、印刷することが現状である。
【０００６】
しかし、撮影した画像を、そのままメモリカードに保持し続けると、メモリカードの容量が満杯になり、メモリカードを新規で購入するか、その画像を消去しない限り、デジタルカメラでユーザが再度撮影することが困難である。
【０００７】
一方、ＰＣや上記画像記録装置に外部記憶装置を装着し、メモリカード内画像を、上記装着された外部記憶装置に移動させ、再印刷を行う手段が考えられるが、ＰＣを所持していないユーザが、低価格で、再印刷を行うまでには至っていない。
【０００８】
本発明は、画像記録装置において、ユーザが一度印刷した画像データを再印刷する場合、メモリカードを挿入しなくても再印刷することができる画像記録装置および画像記録装置の制御方法を提供することを目的とする。
【課題を解決するための手段】
【０００９】
本発明は、画像データを格納した記憶媒体を装着する装着部と、上記画像データを画像処理する画像処理部と、上記画像データを印刷する画像記録部と、操作ボタン・液晶画面または再印刷ボタンと、ユーザが印刷・再印刷設定を行う操作部と、上記画像データを保管するための不揮発性メモリを所持し、上記不揮発性メモリを管理する画像保管手段とを有する画像記録装置である。
【発明の効果】
【００１０】
本発明によれば、画像データを格納した記憶媒体を装着するための装着部と、上記画像データの画像処理を行う画像処理部と、上記画像データを印刷する画像記録部と、操作ボタン・液晶画面、または再印刷ボタンとによって構成され、ユーザが印刷・再印刷設定する操作部と、上記画像データを保管する画像保管手段とを所持するので、ユーザは、一度印刷した画像データを再印刷する場合、メモリカードを挿入しなくても再印刷することができるという効果を奏する。
【００１１】
また、本発明によれば、画像データを保管する際に、解像度変換によってデータサイズが縮小された画像データを保管する機能と、印刷設定を保管する機能と、不揮発性メモリの容量が不足した場合、自動消去するかまたはユーザが消去画像を選択する機能とを所持するので、不揮発性メモリの最適利用、ユーザの操作性が向上するという効果を奏する。
【発明を実施するための最良の形態】
【００１２】
発明を実施するための最良の形態は、次の実施例である。
【実施例１】
【００１３】
図１は、本発明の実施例１である画像記録装置１０００を示す概観斜視図である。
【００１４】
画像記録装置１０００は、ＰＣからデータを受信して印刷する通常のＰＣプリンタとしての機能と、メモリカード等の記憶媒体に記憶されている画像データを直接読み取って印刷する機能とを有する。
【００１５】
また、画像記録装置１０００は、下ケース１００１と、上ケース１００２と、アクセスカバー１００３と、排出トレイ１００４と、電源キー１００５と、液晶表示部１００６と、自動給送部１００７と、紙間選択レバー１００８と、カードスロット１００９と、操作パネル１０１０と、ＰＣ接続端子１０１１とを有する。
【００１６】
画像記録装置１０００の外殻をなす本体は、下ケース１００１、上ケース１００２、アクセスカバー１００３、排出トレイ１００４の外装部材を有する。また、下ケース１００１は、装置１０００の略下半部を形成し、上ケース１００２は、本体の略上半部をそれぞれ形成し、両ケースの組合せによって、その内部に、後述の各機構を収納するための収納空間を有する中空体構造をなし、その上面部と前面部とには、それぞれ開口部が形成されている。
【００１７】
排出トレイ１００４は、その一端部が下ケース１００１に回転自在に保持され、その回転によって、下ケース１００１の前面部に形成されている開口部を開閉させ得る。このために、記録動作を実行させる際には、排出トレイ１００４を前面側へ回転させ、開口部を開成させることによって、ここから記録シートが排出できるとともに、排出された記録シートを順次積載し得る。
【００１８】
また、排紙トレイ１００４には、２枚の補助トレイ１００４ａ、１００４ｂが収納され、必要に応じて、各トレイを手前に引き出すことによって、用紙の支持面積を３段階に拡大、縮小させる。
【００１９】
アクセスカバー１００３は、その一端部が、上ケース１００２に回転自在に保持され、上面に形成される開口部を開閉し得、このアクセスカバー１００３を開くことによって、本体内部に収納されている記録ヘッドカートリッジ（不図示）、またはインクタンク（不図示）等を交換することができる。
【００２０】
図示しないが、アクセスカバー１００３を開閉させると、その裏面に形成されている突起が、カバー開閉レバーを回転させ、このレバーの回転位置を、マイクロスイッチ等で検出することによって、アクセスカバーの開閉状態を検出し得る。
【００２１】
また、上ケース１００２の上面には、電源キー１００５が押下可能に設けられ、上ケース１００２の右側には、液晶表示部１００６や各種キースイッチ等を備える操作パネル１０１０が設けられている。操作パネル１０１０の構造については、図２を参照して詳しく後述する。
【００２２】
自動給送部１００７は、記録シートを装置本体内へ自動的に給送する。紙間選択レバー１００８は、プリントヘッドと記録シートとの間隔を調整するためのレバーである。
【００２３】
カードスロット１００９は、メモリカードが挿入され、メモリカードに記憶されている画像データを、直接取り込み、印刷する。上記メモリカードは、たとえばコンパクトフラッシュ（登録商標）メモリ、スマートメディア（登録商標）、メモリスティック等のフラッシュメモリカードである。また、図示しないが、ＰＣとのインタフェースであるＰＣ接続端子１０１１を所持し、接続されているＰＣから印刷を実行することができる。
【００２４】
図２は、操作パネル１０１０の概観を示す図である。
【００２５】
操作パネル１０１０は、画像データや印刷設定メニュー等を表示する液晶表示部１００６と、画像データの選択やメニュー選択を行う十字ボタン２０００と、印刷を開始させるときに使用する印刷開始ボタン２００１と、印刷を途中で停止し、設定を戻すためのキャンセルボタン２００２と、印刷設定を決定する際に使用する決定ボタン２００３と、ユーザが一度印刷した画像を再印刷する際に使用する再印刷ボタン２００４とを有する。
【００２６】
十字ボタン２０００は、上に移動させるための上ボタン２０００ａと、下に移動させるための下ボタン２０００ｂを、左に移動させるための左ボタン２０００ｃと、右に移動させるための右ボタン２０００ｄとを有する。
【００２７】
次に、画像記録装置１０００の制御に係る主要部の構成について説明する。
【００２８】
図３は、画像記録装置１０００の制御に係る主要部の構成を示す図である。
【００２９】
図３において、図１、図２に記載されている部分と共通する部分には、同じ符号を付し、その説明を省略する。
【００３０】
コントローラ部３０００は、画像記録装置１０００のコントローラ部である。
【００３１】
システムコントローラ３００１は、ＣＰＵや専用ハードウエアによって構成され、画像記録装置１０００の全体の制御と、輝度信号（ＲＧＢ）から濃度信号（ＣＭＹＫ）への変換と、スケーリング、ガンマ変換、誤差拡散等の画像処理等を行う。
【００３２】
ＲＯＭ３００２は、制御プログラムを記憶するプログラムを保管している。
【００３３】
ＲＡＭ３００３は、画像記録装置１０００を駆動するプログラムを記憶するメモリエリア、画像データ等を記憶するワークメモリとして機能するメモリエリアである。
【００３４】
モータ３００４は、画像記録装置１０００のメカ駆動を行い、ヘッド３００５は、システムコントローラ３００１から転送された印字データに基づいてインク吐出を行う。
【００３５】
不揮発性メモリ４０１１は、読み書きが可能なメモリである。
【００３６】
次に、システムコントローラ３００１の構成について説明する。
【００３７】
図４は、システムコントローラ３００１の構成を示すブロック図である。
【００３８】
図４においても、図１〜図３における部分と共通する部分には、同じ記号を付し、それらの説明を省略する。
【００３９】
ＣＰＵ４０００は、１つまたは複数設けられている。
【００４０】
メモリカード・インタフェース部４００２は、カードスロット１００９を介して装着されているメモリカード３００６に記憶されている画像データの読み取り、またはメモリカード３００６へのデータの書き込み等を行う。
【００４１】
操作パネル・インタフェース部４００３は、操作パネル１０１０からの各種操作信号を入力し、表示データを出力等する。
【００４２】
ＵＳＢインタフェース部４００４は、ＰＣ３００７との間でデータをやり取りする。
【００４３】
モータ制御部４００５は、モータ駆動を制御する。ヘッド制御部４００６は、ヘッドへデータ転送等の制御を行う。インタフェース部４００７は、電源キー１００５やＬＥＤ等とのインタフェース制御を行う。画像処理部４００８は、メモリカード３００６から読み込んだ画像を処理する。
【００４４】
画像保管手段４００９は、読み書きが可能である不揮発性メモリ４０１１を管理する手段であり、具体的には、メモリカード３００６内の画像データを不揮発性メモリ４０１１内に書き込み、または、不揮発性メモリ４０１１内の画像データを読み出す等、画像データの保管管理を行う手段である。
【００４５】
図５−１〜図５−６は、画像記録装置１０００にメモリカード３００６が挿入された際に、メモリカード３００６内の画像等を表示する液晶表示部１００６の表示例を示す図である。
【００４６】
液晶表示部１００６は、図５−１に示すように、操作パネル・インタフェース部４００４によって、画像データ５０００に画像データ番号５００２を表示する。
【００４７】
印刷メニュー５００１には、印刷するコマを「インデックス印刷」、「全コマ印刷」、「一コマ印刷」の中から指定するための「コマ指定」５００３、画像を選択するための「画像選択」５００４、印刷用紙を「普通紙」、「フォト用紙」、「スーパーフォト用紙」の中から選択するための「用紙種類」５００５、用紙サイズを「Ｌ判」、「２Ｌ判」、「Ａ４」の中から選択するための「用紙サイズ」５００６、印刷枚数を指定するための「印刷枚数」５００７を表示する。
【００４８】
次に、一コマ印刷を行う場合の印刷設定方法について説明する。
【００４９】
ユーザは、十字ボタン２０００を使用し、メニュー表示上の「コマ指定」５００３に、カーソルを合わせ、図５−２に示すように、カーソル５００３ａを操作することによって、「インデックス印刷」、「一コマ印刷」、「全コマ印刷」の中から、「一コマ印刷」を選択し、決定ボタン２００３を押下する。
【００５０】
次に、ユーザは、「画像選択」５００４を選択し、十字ボタン２０００を使用し、図５−３に示すように、カーソル５００４ａ、カーソル５００４ｂを操作することによって、メモリカード３００６内の画像データを呼び出し、印刷したい画像データを選択し、決定ボタン２００３を押下する。
【００５１】
次に、ユーザは、「用紙種類」５００５にカーソルを合わせ、十字ボタン２０００を使用し、図５−４に示すように、カーソル５００５ａを操作することによって、印刷したい用紙を選択し、決定ボタン２００３を押下する。
【００５２】
次に、ユーザは、「用紙サイズ」５００６にカーソルを合わせ、十字ボタン２０００を使用し、図５−５に示すように、カーソル５００６ａを操作することによって、用紙サイズを選択し、決定ボタン２００３を押下する。
【００５３】
最後に、ユーザは、「印刷枚数」５００７にカーソルを合わせ、十字ボタン２０００を使用し、図５−６に示すように、カーソル５００７ａ、カーソル５００７ｂを操作することによって、印刷枚数を選択し、決定ボタン２００３を押下する。
【００５４】
その後、印刷開始ボタン２００１を押下すれば、ユーザの印刷設定に基づいて、印刷が行われる。
【００５５】
実施例１の特徴は、画像記録装置１０００が、再印刷ボタン２００４、画像保管手段４００９、不揮発性メモリ４０１１を所持するので、メモリカード３００６が無くても、再印刷を行うことができる。
【００５６】
次に、実施例１において、ユーザが再印刷を行う動作について説明する。
【００５７】
図６は、実施例１における、ユーザが再印刷を行う際の動作を示すフローチャートである。
【００５８】
まず、画像データが入ったメモリカード３００６を、カードスロット１００９を介して、ユーザが画像記録装置１０００に挿入する（Ｓ６０１）。
【００５９】
メモリカード３００６が挿入されると、メモリカード・インタフェース部４００２は、ＣＰＵ４０００に、メモリカード３００６が挿入されたことを示す割り込みを通知する。そして、ＣＰＵ４０００は、メモリカード・インタフェース部４００２に、メモリカード３００６内に存在されている先頭の画像データを読み込み、データを保管する旨を指示を、ＲＡＭ３００３に出す。そして、メモリカード・インタフェース部４００２は、メモリカード３００６内に存在されている先頭の画像データを読み込み、ＲＡＭ３００３にデータを保管する。
【００６０】
次に、ＣＰＵ４０００は、操作パネル・インタフェース部４００３に、ＲＡＭ３００３上の画像データを、液晶表示部１００６に表示するように指示する。操作パネル・インタフェース部４００３は、ＲＡＭ３００３内に保管されているメモリカード３００６内の最初の画像データ５０００と、ＲＯＭ３００２内に予め保管されている印刷メニュー５００１とを表示する（Ｓ６０２）。
【００６１】
次に、ユーザは、十字ボタン２０００を使用し、メニュー表示上の「コマ指定」５００３にカーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ６０３）。
【００６２】
ＲＡＭ３００３には、印刷設定を保管する領域が設けられ、操作パネル・インタフェース部４００３は、ＲＡＭ３００３上にユーザが選択した項目を、決定ボタン２００３が押下される度に、上記印刷設定を保管する領域に保管する。そして、印刷開始ボタン２００１が押下されると、ＲＡＭ３００３上の印刷設定領域に保管されている設定データに基づいて、印刷動作を開始し、ユーザ所望の印刷を行う（Ｓ６０４）。
【００６３】
そして、ＣＰＵ４０００は、画像保管手段４００９に、印刷画像の画像データを保管するように指示する。画像保管手段４００９は、ユーザによって選択された画像データを、メモリカード３００６から読み込み、画像保管手段４００９に接続されている不揮発性メモリ４０１１に保管する（Ｓ６０５）。
【００６４】
次に、ユーザが再印刷を行うために、再印刷ボタン２００４を押下する（Ｓ６０６）。ＣＰＵ４０００は、不揮発性メモリ４０１１内に保管されている画像データを、液晶表示部１００６に表示することを、操作パネル・インタフェース部４００３に指示する。
【００６５】
操作パネル・インタフェース部４００３は、画像保管手段４００９を介して、不揮発性メモリ４０１１内に保管されている最初の画像データと、ＲＯＭ３００２内に予め保管されている印刷メニュー５００１とを表示する（Ｓ６０７）。
【００６６】
ユーザは、十字ボタン２０００を使用し、メニュー表示上の「コマ指定」５００３に、カーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ６０８）。
【００６７】
ＲＡＭ３００３には、印刷設定を保管する領域が設けられ、操作パネル・インタフェース部４００３は、ＲＡＭ３００３上にユーザが選択した項目を、決定ボタン２００３が押下される度に、上記印刷設定を保管する領域にデータ転送する。そして、画像記録装置１０００は、ＲＡＭ３００３上の印刷設定領域に保管されている設定データに基づいて、印刷動作を開始し、ユーザ所望の再印刷を行う（Ｓ６０９）。
【００６８】
すなわち、実施例１によれば、画像データを格納した記憶媒体を装着するための装着部と、上記画像データの画像処理を行う画像処理部と、上記画像データを印刷する画像記録部と、操作ボタン・液晶画面等から構成されユーザが印刷設定等を行う操作部と、上記画像データを保管する画像保管手段とを有するので、ユーザは、メモリカードを挿入せずに、一度印刷した画像データを、再印刷することができる。
【実施例２】
【００６９】
実施例２は、実施例１において、画像処理部４００８内の画像データを保管するために不揮発性メモリ４０１１内へ保管する画像データが、解像度変換で縮小された場合、上記保管する画像データを、その画像データサイズによって保管する実施例である。
【００７０】
具体的には、画像記録装置１０００における画像処理の前段において、ユーザに指定された印刷設定、画像記録装置１０００の記録解像度について、画像データを、最適な画像サイズにするために拡大縮小等の解像度を変更する解像度変換の機能を有する。
【００７１】
画像データのサイズが大きいが、印刷用紙のサイズが、たとえばＬ判等のように小さい場合、その後の画像処理に使用される画像データのサイズは、解像度変換によって元の画像データのサイズよりも縮小されたサイズが使用される。逆に、画像データのサイズが小さいが、印刷用紙のサイズが大きければ、画像データは拡大される。その後、画像処理の後段において、解像度変換された画像データに、誤差拡散等の画像処理が施され、印刷する。
【００７２】
実施例２において、画像保管手段４００９は、画像データを保管する際に、解像度変換によって、元画像データのサイズよりも画像サイズが縮小された場合、解像度変換後の画像データを保管する。
【００７３】
次に、実施例２において、ユーザが再印刷を行う動作について説明する。
【００７４】
図７は、実施例２において、ユーザが再印刷を行う動作を示すフローチャートである。
【００７５】
まず、ユーザが、画像データが格納されているメモリカード３００６を、画像記録装置１０００に挿入する（Ｓ７０１）。
【００７６】
メモリカード３００６が挿入されると、メモリカード・インタフェース部４００２は、ＣＰＵ４０００に、メモリカードが挿入されたことを示す割り込みを通知する。そして、ＣＰＵ４０００は、メモリカード・インタフェース部４００２に、メモリカード３００６内に存在している先頭の画像データを読み込む指示を出し、ＲＡＭ３００３に、データ保管する指示を出す。
【００７７】
そして、メモリカード・インタフェース部４００２は、メモリカード３００６内に存在している先頭の画像データを読み込み、ＲＡＭ３００３にデータを保管する。
【００７８】
次に、ＣＰＵ４０００は、操作パネル・インタフェース部４００３に、ＲＡＭ３００３上の画像データを、液晶表示部１００６に表示するように、指示する。
【００７９】
操作パネル・インタフェース部４００３は、ＲＡＭ３００３内に保管されているメモリカード３００６内の最初の画像データ５０００と、ＲＯＭ３００２内に予め保管されている印刷メニュー５００１とを表示する（Ｓ７０２）。
【００８０】
次に、ユーザは、十字ボタン２０００を使用し、メニュー表示上の「コマ指定」５００３にカーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ７０３）。
【００８１】
ＲＡＭ３００３には、印刷設定を保管する領域があり、操作パネル・インタフェース部４００３は、ＲＡＭ３００３上でユーザが選択した項目を、決定ボタン２００３が押下される度に、上記印刷設定を保管する領域にデータ転送する。印刷開始ボタン２００１が押下されると、ＲＡＭ３００３上の印刷設定領域に保管されている設定データに基づいて、画像処理を開始する。
【００８２】
そして、画像処理前段において、解像度変換を行い、指定された用紙サイズ５００６に適した画像データのサイズに変換した後に、画像処理の後段を実行し、印刷動作を開始し、ユーザ所望の印刷を行う（Ｓ７０４）。
【００８３】
そして、ＣＰＵ４０００は、印刷を開始すると同時に、画像保管手段４００９に、印刷画像の画像データを保管するように指示する。画像保管手段４００９は、解像度変換された画像データのサイズが、元画像データサイズよりも小さい場合、解像度変換後の画像データを、画像保管手段４００９を介して不揮発性メモリ４０１１に保管し、元画像データサイズよりも大きい場合は、元画像データを、画像保管手段４００９を介して不揮発性メモリ４０１１に保管する（Ｓ７０５、Ｓ７０６、Ｓ７０７）。
【００８４】
次に、ユーザが再印刷を行うために、再印刷ボタン２００４を押下する（Ｓ７０８）。
【００８５】
ＣＰＵ４０００は、不揮発性メモリ４０１１内に保管されている画像データを、液晶表示部１００６に表示するように、操作パネル・インタフェース部４００３に指示する。
【００８６】
操作パネル・インタフェース部４００３は、画像保管手段４００９を介して、不揮発性メモリ４０１１内に保管されている最初の画像データと、ＲＯＭ３００２内に予め保管されている印刷メニュー５００１とを表示する（Ｓ７０９）。
【００８７】
ユーザは、十字ボタン２０００を使用し、メニュー表示上の「コマ指定」５００３に、カーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ７１０）。
【００８８】
ＲＡＭ３００３には、印刷設定を保管する領域があり、操作パネル・インタフェース部４００３は、ＲＡＭ３００３上でユーザが選択した項目を、決定ボタン２００３が押下される度に、上記印刷設定を保管する領域にデータ転送する。そして、画像記録装置１０００は、ＲＡＭ３００３上の印刷設定領域に保管されている設定データに基づいて、印刷動作を開始し、ユーザ所望の再印刷を行う（Ｓ７１１）。
【００８９】
画像保管手段４００９は、画像データを保管する際に、解像度変換によって元画像データのサイズよりも画像サイズが縮小された場合、解像度変換後の画像データを保管するので、限られた不揮発性メモリ４０１１の容量を効率的に使用することができる。
【実施例３】
【００９０】
実施例３は、実施例１における画像記録装置１０００の不揮発性メモリ４０１１内に、画像データだけでなく、印刷設定をも保管する実施例である。
【００９１】
図８は、実施例３において、画像保管手段４００９が、不揮発性メモリ４０１１内に保管した画像データのイメージ図である。
【００９２】
保管すべき画像データ名８０００をヘッダにし、その下に印刷設定８００１、保管すべき画像データ８００２を構成し、これらを不揮発性メモリ４０１１内に格納する。
【００９３】
具体的には、画像保管手段４００９は、ユーザが印刷開始ボタンを押下すると、保管画像データ８００２と、この保管画像データ８００２について行われた印刷設定８００１とを、保管画像データ名８０００をヘッダにして、格納する。
【００９４】
その後、再印刷ボタン２００４が押下されると、ＣＰＵ４０００は、操作パネル・インタフェース部４００３に、不揮発性メモリ４０１１に格納されている保管画像データ８００２と、保管画像データ８００２に付随した印刷設定とを、液晶表示部１００６に表示するように、指示する。
【００９５】
操作パネル・インタフェース部４００３は、画像保管手段４００９を介して、不揮発性メモリ４０１１内の画像データを、印刷設定を液晶表示部１００６に表示する。
【００９６】
図９は、実施例３において、液晶表示部１００６への表示内容例を示す図である。
【００９７】
ユーザが、再印刷ボタン２００４を押下し、画像選択すると、操作パネル・インタフェース部４００３は、ＲＯＭ３００２内に予め用意している印刷メニュー５００１と、ユーザに以前印刷した時と同様の印刷設定を使用するか否かを問うメッセージ９０００と、「ＹＥＳ」、「ＮＯ」９００１の選択肢とを表示する。ユーザは、図９−１に示すように、カーソル９００１ａを操作し、前回の設定を使用するか否かを選択する。
【００９８】
ＹＥＳが選択されると、操作パネル・インタフェース部４００３は、画像保管手段４００９を介して、図９−２に示すように、前回の印刷設定を表示する。その後、ユーザが、印刷開始ボタン２００１が押下すると、印刷設定を行うことなく、再印刷が実行できる。
【００９９】
ＮＯが選択されると、ユーザ自身が印刷設定を行うことによって、再印刷が行われる。
【０１００】
なお、再印刷時において、ユーザが、前回とは違う印刷設定を行った場合、その印刷設定を保管する。
【０１０１】
次に、実施例３において、ユーザが再印刷を行う場合の動作について説明する。
【０１０２】
図１０は、実施例３において、ユーザが再印刷を行う場合の動作を示すフローチャートである。
【０１０３】
まず、ユーザが、画像データが入ったメモリカード３００６を、画像記録装置１０００に挿入する（Ｓ１００１）。
【０１０４】
メモリカード３００６が挿入されると、メモリカード・インタフェース部４００２は、ＣＰＵ４０００に、メモリカード３００６が挿入されたことを示す割り込みを通知する。そして、ＣＰＵ４０００は、メモリカード・インタフェース部４００２に、メモリカード３００６内に存在している先頭の画像データを読み込み、データ保管する指示を、ＲＡＭ３００３に出す。そして、メモリカード・インタフェース部４００２は、メモリカード３００６内に存在している先頭の画像データを読み込み、ＲＡＭ３００３にデータ保管する。
【０１０５】
次に、ＣＰＵ４０００は、操作パネル・インタフェース部４００３に、ＲＡＭ３００３上の画像データを、液晶表示部１００６に表示するように、指示する。操作パネル・インタフェース部４００３は、ＲＡＭ３００３内に保管されているメモリカード３００６内の最初の画像データ５０００と、ＲＯＭ３００２内に予め保管されている印刷メニュー５００１とを表示する（Ｓ１００２）。
【０１０６】
次に、ユーザは、十字ボタン２０００を使用し、メニュー表示上の「コマ指定」５００３にカーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ１００３）。
【０１０７】
ＲＡＭ３００３には、印刷設定を保管する領域があり、操作パネル・インタフェース部４００３は、ＲＡＭ３００３上で、ユーザが選択した項目を、決定ボタン２００３が押下される度に、上記印刷設定を保管する領域に、データ保管する。そして、印刷開始ボタン２００１が押下されると、ＲＡＭ３００３上で印刷設定領域に保管されている設定データに基づいて、印刷動作を開始し、ユーザ所望の印刷を行う（Ｓ１００４）。
【０１０８】
そして、ＣＰＵ４０００は、画像保管手段４００９に、印刷画像の画像データを保管するように指示する。画像保管手段４００９は、保管画像データ８００２と、該保管画像データ８００２とについて行われた印刷設定８００１を、保管画像データ名８０００をヘッダにし、画像保管手段４００９を介して、不揮発性メモリ４０１１に保管する（Ｓ１００５）。
【０１０９】
次に、ユーザが再印刷を行うために再印刷ボタン２００４を押下する（Ｓ１００６）。
【０１１０】
ＣＰＵ４０００は、操作パネル・インタフェース部４００３に、不揮発性メモリ４０１１内に保管されている保管画像データ８００２を、液晶表示部１００６に表示するように、指示する。操作パネル・インタフェース部４００３は、画像保管手段４００９を介して、不揮発性メモリ４０１１内に保管されている最初の保管画像データ８００２と、ＲＯＭ３００２内に予め保管されている印刷メニュー５００１とを表示する（Ｓ１００７）。
【０１１１】
ユーザが画像選択すると、操作パネル・インタフェース部４００３は、ＲＯＭ３００２内に予め用意している印刷メニュー５００１と、ユーザに以前印刷したときと同様の印刷設定を使用するか否かを問うメッセージ９０００と、「ＹＥＳ」、「ＮＯ」９００１の選択肢とを表示する。ユーザは、カーソル９００１ａを操作し、前回の設定を使用するかまたは否を選択する（Ｓ１００８）。
【０１１２】
ユーザがＹＥＳを選択した場合、操作パネル・インタフェース部４００３は、画像保管手段４００９を介して、図９−２に示すように、前回の印刷設定を表示する（Ｓ１００９）。
【０１１３】
ＮＯが選択された場合、ユーザ自身が印刷設定を行う（Ｓ１０１０）。
【０１１４】
そして、印刷開始ボタン２００１が押下されると、画像記録装置１０００は、設定データに基づいて、印刷動作を開始し、ユーザが所望する再印刷を行う（Ｓ１０１１、１０１２）。
【０１１５】
実施例３によれば、画像保管手段４００９は、画像データを保管する際に、画像データだけでなく、印刷設定をも保管するので、ユーザが再印刷を行う際に、前回と同様の印刷設定を再び行う手間を省くことができる。
【実施例４】
【０１１６】
実施例４は、実施例１における画像記録装置１０００内の不揮発性メモリ４０１１の容量が不足した場合、ユーザに通知し、また、容量不足を解消する設定を、画像記録装置１０００が自動で、または、ユーザが任意に行う実施例である。
【０１１７】
具体的には、実施例４は、ユーザが印刷開始ボタン２００１を押下した際に、画像保管手段４００９は、不揮発性メモリ４０１１の容量が不足し、画像データの保管が不可能である場合、ＣＰＵ４０００に、容量不足を通知する。
【０１１８】
ＣＰＵ４０００は、容量不足とその対応を促すためのメッセージとを、液晶表示部１００６に表示し、ユーザに知らせるように、操作パネル・インタフェース部４００４に、指示する。
【０１１９】
図１１は、実施例４において、液晶表示部１００６への表示内容例を示す図である。
【０１２０】
操作パネル・インタフェース部４００３は、図１１−１に示すように、ＲＯＭ３００２内に予め用意している容量不足と、その対応をユーザに促すメッセージ１１００と、「印刷履歴の古いものから消去」１１０１、「消去画像を自分で選択して消去」１１０２の選択肢とを表示する。
【０１２１】
ユーザは、カーソル１１０３を操作することによって、消去方法を選択する。
【０１２２】
「印刷履歴が古いものから消去」を選択した場合、画像保管手段４００９は、不揮発性メモリ４０１１内に保管されている画像データを印刷した日時が古いものから消去し、新たに印刷を行った画像データを保管する。
【０１２３】
「消去画像を自分で選択して消去」を選択した場合、操作パネル・インタフェース部４００３は、図１１−２に示すように、「保存」１１０４、「消去」１１０５の選択肢を、表示する。ユーザは、カーソル１１０６を操作し、該画像データを保存するか、消去するかを選択する。これによって、画像保管手段４００９は、不揮発性メモリ４０１１内に保管されている画像データのうちで、ユーザに指定された画像データを、消去し、新たに印刷を行った画像データを保管する。
【０１２４】
次に、実施例４において、ユーザが再印刷する動作について説明する。
【０１２５】
図１２は、実施例４において、ユーザが再印刷する動作を示すフローチャートである。
【０１２６】
まず、画像データが入ったメモリカード３００６を、ユーザが画像記録装置１０００に挿入する（Ｓ１２０１）。
【０１２７】
メモリカード３００６が挿入されると、メモリカード・インタフェース部４００２は、ＣＰＵ４０００に、メモリカードが挿入されたことを示す割り込みを通知する。そして、ＣＰＵ４０００は、メモリカード・インタフェース部４００２に、メモリカード３００６内に存在している先頭の画像データを読み込み、ＲＡＭ３００３にデータを保管する指示を出す。そして、メモリカード・インタフェース部４００２は、メモリカード３００６内にある先頭の画像データを読み込み、ＲＡＭ３００３にデータ保管する。
【０１２８】
次に、ＣＰＵ４０００は、ＲＡＭ３００３上の画像データを、液晶表示部１００６に表示するように、操作パネル・インタフェース部４００３に指示する。操作パネル・インタフェース部４００３は、ＲＡＭ３００３内に保管されているメモリカード３００６内の最初の画像データ５０００と、ＲＯＭ３００２内に予め保管されている印刷メニュー５００１とを表示する（Ｓ１２０２）。
【０１２９】
次に、ユーザは、十字ボタン２０００を使用し、メニュー表示上の「コマ指定」５００３にカーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ１２０３）。
【０１３０】
ＲＡＭ３００３には、印刷設定を保管する領域があり、操作パネル・インタフェース部４００３は、ＲＡＭ３００３上にユーザが選択した項目を、決定ボタン２００３が押下される度に、上記印刷設定を保管する領域にデータ保管する。そして、印刷開始ボタン２００１が押下されると、不揮発性メモリ４０１１の容量が不足しているか否かを、画像保管手段４００９が調べ、これ以上の画像データの保管が不可能である場合、ＣＰＵ４０００に、容量不足を通知する（Ｓ１２０４）。
【０１３１】
ＣＰＵ４０００は、容量不足と、この対応を促すためのメッセージとを、液晶表示部１００６に表示し、ユーザに知らせるように、操作パネル・インタフェース部４００３に指示する。
【０１３２】
操作パネル・インタフェース部４００３は、図１１−１に示すように、ＲＯＭ３００２内に予め用意している容量不足と、この対応を促すメッセージ１１００と、「印刷履歴の古いものから消去」１１０１、「消去画像を自分で選択して消去」１１０２の選択肢とを表示し、ユーザに知らせる（Ｓ１２０５）。
【０１３３】
そして、ユーザは、カーソル１１０３を操作することによって、消去方法を選択する（Ｓ１２０６）。
【０１３４】
ユーザが、「印刷履歴が古いものから消去」１１０１を選択した場合、画像保管手段４００９は、不揮発性メモリ４０１１内に保管されている画像データを印刷した日時が古いものから消去する（Ｓ１２０７）。
【０１３５】
ユーザが、「消去画像を自分で選択して消去」１１０２を選択した場合、操作パネル・インタフェース部４００３は、図１１−２に示すように、「保存」１１０４、「消去」１１０５の選択肢を表示する。ユーザは、カーソル１１０６を操作し、該画像データを保存するか消去するかを選択する。この選択に応じて、画像保管手段４００９は、不揮発性メモリ４０１１内に保管されている画像データのうちで、ユーザに指定された画像データを消去する（Ｓ１２０８）。
【０１３６】
消去が完了すると、画像記録装置１０００は、ＲＡＭ３００３上の印刷設定領域に保管されている設定データに基づいて、印刷動作を開始し、ユーザが所望する印刷を行う。そして、ＣＰＵ４０００は、印刷画像の画像データを保管するように、画像保管手段４００９に指示する。画像保管手段４００９は、ユーザによって選択された画像データをメモリカード３００６から読み込み、不揮発性メモリ４０１１に保管する（Ｓ１２０９）。
【０１３７】
次に、ユーザが再印刷を行うために、再印刷ボタン２００４を押下すると（Ｓ１２１０）、ＣＰＵ４０００は、不揮発性メモリ４０１１内に保管されている画像データを、液晶表示部１００６に表示するように、操作パネル・インタフェース部４００３に指示する。
【０１３８】
操作パネル・インタフェース部４００３は、画像保管手段４００９を介して、不揮発性メモリ４０１１内に保管されている最初の画像データと、ＲＯＭ３００２内に予め保管されている印刷メニュー５００１とを表示する（Ｓ１２１１）。
【０１３９】
ユーザが、十字ボタン２０００を使用し、メニュー表示上の「コマ指定」５００３にカーソルを合わせ、十字ボタン２０００を使用し、「コマ指定」５００３を選択し、さらに、「用紙種類」５００５、「用紙サイズ」５００６、「印刷枚数」５００７を、それぞれ指定し、印刷開始ボタン２００１を押下する（Ｓ１２１２）。
【０１４０】
ＲＡＭ３００３には、印刷設定を保管する領域があり、操作パネル・インタフェース部４００３は、ＲＡＭ３００３上でユーザが選択した項目を、決定ボタン２００３が押下される度に、上記印刷設定を保管する領域にデータ転送する。そして、画像記録装置１０００は、ＲＡＭ３００３上の印刷設定領域に保管されている設定データに基づいて、印刷動作を開始し、これによって、ユーザが所望する再印刷を行う（Ｓ１２１３）。
【０１４１】
実施例４によれば、不揮発性メモリ４０１１の容量が不足した場合、データ保管手段４００９が、ユーザに通知し、また、容量不足を解消する設定を、画像記録装置１０００が、自動的に、または、ユーザが任意に行う機能を所持するので、不揮発性メモリ４０１１内の容量が不足した際の利便性が向上する。
【図面の簡単な説明】
【０１４２】
【図１】本発明の実施例１である画像記録装置１０００を示す概観斜視図である。
【図２】操作パネル１０１０の概観を示す図である。
【図３】画像記録装置１０００の制御に係る主要部の構成を示す図である。
【図４】システムコントローラ３００１の構成を示すブロック図である。
【図５−１】画像記録装置１０００にメモリカード３００６が挿入された際に、メモリカード３００６内の画像等を表示する液晶表示部１００６の表示例を示す図である。
【図５−２】画像記録装置１０００にメモリカード３００６が挿入された際に、メモリカード３００６内の画像等を表示する液晶表示部１００６の表示例を示す図である。
【図５−３】画像記録装置１０００にメモリカード３００６が挿入された際に、メモリカード３００６内の画像等を表示する液晶表示部１００６の表示例を示す図である。
【図５−４】画像記録装置１０００にメモリカード３００６が挿入された際に、メモリカード３００６内の画像等を表示する液晶表示部１００６の表示例を示す図である。
【図５−５】画像記録装置１０００にメモリカード３００６が挿入された際に、メモリカード３００６内の画像等を表示する液晶表示部１００６の表示例を示す図である。
【図５−６】画像記録装置１０００にメモリカード３００６が挿入された際に、メモリカード３００６内の画像等を表示する液晶表示部１００６の表示例を示す図である。
【図６】実施例１における、ユーザが再印刷を行う際の動作を示すフローチャートである。
【図７】実施例２において、ユーザが再印刷を行う動作を示すフローチャートである。
【図８】実施例３において、画像保管手段４００９が、不揮発性メモリ４０１１内に保管した画像データのイメージ図である。
【図９−１】実施例３において、液晶表示部１００６への表示内容例を示す図である。
【図９−２】実施例３において、液晶表示部１００６への表示内容例を示す図である。
【図１０】実施例３において、ユーザが再印刷を行う場合の動作を示すフローチャートである。
【図１１−１】実施例４において、液晶表示部１００６への表示内容例を示す図である。
【図１１−２】実施例４において、液晶表示部１００６への表示内容例を示す図である。
【図１２】実施例４において、ユーザが再印刷する動作をフローチャートである。
【符号の説明】
【０１４３】
１０００…画像記録装置、
１００６…液晶表示部、
１０１０…操作パネル、
１００９…カードスロット、
３０００…コントローラ部、
３００１…システムコントローラ、
３００６…メモリカード、
３００７…ＰＣ、
４００９…画像保管手段、
４０１１…不揮発性メモリ。
【図１】
2007001133.tif 000003
【図２】
2007001133.tif 000004
【図３】
2007001133.tif 000005
【図４】
2007001133.tif 000006
【図５−１】
2007001133.tif 000007
【図５−２】
2007001133.tif 000008
【図５−３】
2007001133.tif 000009
【図５−４】
2007001133.tif 000010
【図５−５】
2007001133.tif 000011
【図５−６】
2007001133.tif 000012
【図６】
2007001133.tif 000013
【図７】
2007001133.tif 000014
【図８】
2007001133.tif 000015
【図９−１】
2007001133.tif 000016
【図９−２】
2007001133.tif 000017
【図１０】
2007001133.tif 000018
【図１１−１】
2007001133.tif 000019
【図１１−２】
2007001133.tif 000020
【図１２】
2007001133.tif 000021